(57)【特許請求の範囲】
【請求項１】
後側壁よりも高く形成された前側壁を有し、その前側壁が上壁部と下壁部とに分割され、前側壁の下壁部が底壁と一体に成形され、前側壁の上壁部の下端と前記前側壁の下壁部の上端の一方に嵌合凸部が形成されていると共に、他方に嵌合凹部が形成されている曲り樋継手において、
前記嵌合凸部と嵌合凹部が前側壁のコーナー部の近傍を除いた位置に設けられ、嵌合凸部ならびに嵌合凹部が、前側壁の上壁部を前側壁の下壁部よりも前方位置から後方へ水平移動させることにより、嵌合凸部と嵌合凹部が上壁部と下壁部とを相互に固定させる強度で嵌合可能に形成されていることを特徴とする曲り樋継手。
【発明の詳細な説明】
【０００１】
【発明の属する技術分野】
本発明は、軒樋をコーナー部で接続する曲り樋継手に関する。
【０００２】
【従来の技術】
建物の高級化に伴い、軒樋は、前側壁が後側壁よりも高い非対称形のものが一般的に使用されるようになってきた（実開平３−１８３２１号公報ならびに実開平３−９５４２４号公報参照）。これは、前側壁が後側壁と略同じ高さの軒樋では、軒樋を建物の軒先に取り付けている樋吊具が軒樋の前方から見えてしまい、建物の外観までも損なわれてしまうからである。
【０００３】
また、前側壁が後側壁よりも高い軒樋が使用されるようになると、軒樋をコーナー部で接続する曲り樋継手も、前側壁が後側壁よりも高い形状のものが必要になる。
【０００４】
ところが、前側壁が後側壁よりも高い形状の曲り樋継手を一回の成形で形成するためには、大型で複雑な形状の金型が必要になるので、種々のデザインのものを提供しようとすると非常にコストが高くなってしまう。
【０００５】
又、前側壁が後側壁よりも高い形状の曲り樋継手は、軒樋をコーナー部で接続する施工の際、前側壁によって視界が遮られるので、軒樋の端部が曲り樋継手の接続端に必要量挿入されているかどうかを確認することができず、接続不良を生じる虞がある。
【０００６】
ところで、特開平４−２０６４６号公報において、前側壁を上壁部と下壁部とに分割して成形し、上壁部の下端面に嵌合凹部と、下壁部の上端面に嵌合凸部とを設け、この嵌合凹部と嵌合凸部とは、前側壁のコーナーを中心に左右対称のＬ字形になされ、嵌合凹部と嵌合凸部とを嵌合ならびに接着させることにより曲り樋継手を形成することが提案されている。つまり、この提案に従えば、嵌合凹部と嵌合凸部との間に接着剤を介して接着することにより、上壁部と下壁部とを確実に接着することができ、又、上壁部を成形する金型だけ複数種類揃えておけば、下壁部を備えた継手本体は一種類でも、複数種類の上壁部と組み合せることにより、種々のデザインの曲り樋継手を提供することができる。
【０００７】
【発明が解決しようとする課題】
しかしながら、このような従来の曲り樋継手にあっては、嵌合凹部と嵌合凸部とが前側壁のコーナーを中心に左右対称のＬ字形になされているので、冬期には軒樋が収縮して、曲り樋継手が両側より引っ張られ、拡げられようなり、コーナー部に応力が集中し、曲り樋継手のコーナー部や嵌合凹部や嵌合凸部に割れが生じるという問題がある。
又、前側壁の上壁部の嵌合凹部と下壁部の嵌合凸部が、嵌合だけでなく、必ず接着剤で接着をしなければ曲り樋継手の断面形状を保持できない形状に形成されているので、曲り樋継手の組み立てに労力と時間を要するという問題がある。
【０００８】
そこで、本発明の曲り樋継手は、上記のような問題に着目し、曲り樋継手のコーナー部や嵌合凹部や嵌合凸部に割れが生ぜず、曲り樋継手の組み立てが簡単にできる曲り樋継手を提供することを目的としている。
【０００９】
【課題を解決するための手段】
請求項１記載の本発明は、後側壁よりも高く形成された前側壁を有し、その前側壁が上壁部と下壁部とに分割され、前側壁の下壁部が底壁と一体に成形され、前側壁の上壁部の下端と前記前側壁の下壁部の上端の一方に嵌合凸部が形成されていると共に、他方に嵌合凹部が形成されている曲り樋継手において、前記嵌合凸部と嵌合凹部が前側壁のコーナー部の近傍を除いた位置に設けられ、嵌合凸部ならびに嵌合凹部が、前側壁の上壁部を前側壁の下壁部よりも前方位置から後方へ水平移動させることにより、嵌合凸部と嵌合凹部が上壁部と下壁部とを相互に固定させる強度で嵌合可能に形成されているものである。
【００１０】
（作用）請求項１記載の曲り樋継手では、嵌合凸部と嵌合凹部が前側壁のコーナー部の近傍を除いた位置に設けられているから、コーナー部ではコーナーを中心に左右対称のＬ字形になされおらず、曲り樋継手が両側より引っ張られ、拡げられても、コーナー部に応力が集中することなく、曲り樋継手のコーナー部や嵌合凹部や嵌合凸部に割れが生じない。
【００１１】
又、嵌合凸部と嵌合凹部が、上壁部と下壁部とを相互に固定させる強度で嵌合可能に形成されているから、前側壁の上壁部の下端と前側壁の下壁部の上端の一方に形成されている嵌合凸部と他方に形成されている嵌合凹部を嵌合させればよく、嵌合凸部と嵌合凹部を接着剤で接着させる作業を行なう必要がなく、上壁部と下壁部を相互に固定させる作業も簡単なので、施工の能率が大幅に低下することもない。
【００１２】
又、嵌合凸部と嵌合凹部を嵌合させるにあたって、前側壁の上壁部を前側壁の下壁部よりも前方位置から後方へ水平移動させればよいので、軒先に設けられている瓦や水切りなどと上壁部とが干渉することがなく、施工がスムーズに行なえる。
【００１３】
【実施例】
次に、図１〜図３に基づいて、一実施例の曲り樋継手の構成を説明する。
図１は曲り樋継手の分解説明図、図２は図１のＸ−Ｘ矢視図、図３は図１の上壁部３２のＹ矢視図である。
本実施例の曲り樋継手Ｌは、底壁１と、その底壁１の後縁に立設された後側壁２と、底壁１の前縁に前記後側壁２よりも高く立設された前側壁３と、を備えており、両接続端には、軒樋の端部を係止可能な係止片４，４が設けられている。
【００１４】
前記前側壁３は、略垂直に立設されていて後側壁２よりも低い下壁部３１と、斜め後方へ大きく湾曲して底壁１に覆い被さる形状に形成されている上壁部３２とに分割されており、前記下壁部３１は、底壁１ならびに後側壁２と一体に成形されている。
【００１５】
前側壁３の下壁部３１には、上端のコーナーの近傍を除いた位置に、前面を凹ませた嵌合凹部３３が設けられている。又、前側壁３の上壁部３２には、下端のコーナーの近傍を除いた位置に、後面を水平方向に突出させた嵌合凸部３４が設けられている。これらの嵌合凹部３３と嵌合凸部３４は、下壁部３１と上壁部３２とを相互に固定させる強度で嵌合可能に形成されている。つまり、下壁部３１と上壁部３２は、接着剤を用いなくても、嵌合凹部３３と嵌合凸部３４とを嵌合させるだけで相互に固定されるようになっている。
【００１６】
尚、前記嵌合凹部３３は、図２に示すように、下壁部３１とは別体に成形した係止部材５に形成されており、この係止部材５を、下壁部３１と平行に立設させた２本の取付片６に嵌合ならびに接着することにより下壁部３１の上端のコーナーの近傍を除いた位置に配設されている。
【００１７】
又、後側壁２の上端部の右端ならびに左端には、軒樋の後耳と係合可能な折曲片３５，３５が形成され、前側壁３の上壁部３２の上端の右端ならびに左端には、軒樋の前耳に係合可能な湾曲片３６，３６が形成されている。
【００１８】
次に、図４に基づいて、一実施例の使用方法と作用を説明する。
図４は一実施例の曲り樋継手の施工状態を示す斜視図で、図中７は軒樋である。この軒樋７は、図示を省略した樋吊具によって軒先に取り付けられている。
【００１９】
軒樋７を建物のコーナー部で接続する施工の際には、前側壁３の上壁部３２を前側壁３の下壁部３１に固定させる前に、曲り樋継手Ｌの接続端に軒樋７の端部を挿入させる。そして、曲り樋継手Ｌの接続端に軒樋７の端部が必要量挿入されているかどうか（軒樋７の端部が係止片４，４に係止されているか）を目で確認する。この時は、下壁部３１に上壁部３２が固定されていないので、容易に確認できる。
【００２０】
その後、前側壁３の下壁部３１に設けられている嵌合凹部３３と前側壁３の上壁部３２に設けられている嵌合凸部３４とを嵌合させて下壁部３１と上壁部３２を相互に固定する。
下壁部３１の嵌合凹部３３が、下壁部３１の前面を凹ませて作られており、上壁部３２の嵌合凸部３４が、後面を水平方向に突出させて作られているので、嵌合凹部３３と嵌合凸部３４とを嵌合させるにあたっては、前側壁３の上壁部３２を前側壁３の下壁部３１よりも前方位置から後方へ水平移動させればよい。
【００２１】
すなわち、嵌合凹部３３と嵌合凸部３４とを嵌合させる時に、軒先に設けられている瓦や水切りなどと上壁部３２とが干渉することがないし、下壁部３１に形成されている嵌合凹部３３の位置を目で確認できるので、施工がスムーズに行なえる。又、曲り樋継手Ｌの接続端に軒樋Ｉの端部を挿入させる時に、曲り樋継手Ｌの接続端に軒樋７の端部が必要量挿入されているかどうかを確認することができる。
【００２２】
このようにすると、嵌合凸部３４と嵌合凹部３３が前側壁３のコーナー部の近傍を除いた位置に設けられているから、コーナー部ではコーナーを中心に左右対称のＬ字形になされおらず、曲り樋継手Ｌが両側より引っ張られ、拡げられても、コーナー部に応力が集中することなく、曲り樋継手Ｌのコーナー部や嵌合凹部３３や嵌合凸部３４に割れが生じない。
【００２３】
又、嵌合凸部３４と嵌合凹部３３が、上壁部３２と下壁部３１とを相互に固定させる強度で嵌合可能に形成されているから、前側壁３の上壁部３２の下端と前側壁３の下壁部３１の上端の一方に形成されている嵌合凸部３４と他方に形成されている嵌合凹部３３を嵌合させればよく、嵌合凸部３４と嵌合凹部３３を接着剤で接着させる作業を行なう必要がなく、上壁部３２と下壁部３１を相互に固定させる作業も簡単なので、施工の能率が大幅に低下することもない。
【００２４】
又、嵌合凸部３４と嵌合凹部３３を嵌合させるにあたって、前側壁３の上壁部３２を前側壁３の下壁部３１よりも前方位置から後方へ水平移動させればよいので、軒先に設けられている瓦や水切りなどと上壁部３２とが干渉することがなく、施工がスムーズに行なえる。
【００２５】
以上、本発明の実施例を図面により詳述してきたが、具体的な構成はこの実施例に限られるものではなく、本発明の要旨を逸脱しない範囲における設計の変更等があっても本発明に含まれる。例えば、実施例では、下壁部３１の嵌合凹部３３を、下壁部３１とは別体に成形した係止部材５に形成させたが、嵌合凹部３３は、下壁部３１と一体に成形させてもよい。また、実施例では、下壁部３１に嵌合凹部３３を形成し、上壁部３２に嵌合凸部３４を形成したが、嵌合凹部３３を上壁部３２に形成し、嵌合凸部３４を下壁部３１に形成してもよい。
【００２６】
【発明の効果】
以上説明したように、請求項１記載の曲り樋継手では、嵌合凸部と嵌合凹部が前側壁のコーナー部の近傍を除いた位置に設けられているから、コーナー部ではコーナーを中心に左右対称のＬ字形になされおらず、曲り樋継手が両側より引っ張られ、拡げられても、コーナー部に応力が集中することなく、曲り樋継手のコーナー部や嵌合凹部や嵌合凸部に割れが生じない。
【００２７】
又、嵌合凸部と嵌合凹部が、上壁部と下壁部とを相互に固定させる強度で嵌合可能に形成されているから、前側壁の上壁部の下端と前側壁の下壁部の上端の一方に形成されている嵌合凸部と他方に形成されている嵌合凹部を嵌合させればよく、嵌合凸部と嵌合凹部を接着剤で接着させる作業を行なう必要がなく、上壁部と下壁部を相互に固定させる作業も簡単なので、施工の能率が大幅に低下することもない。
【００２８】
又、嵌合凸部と嵌合凹部を嵌合させるにあたって、前側壁の上壁部を前側壁の下壁部よりも前方位置から後方へ水平移動させればよいので、軒先に設けられている瓦や水切りなどと上壁部とが干渉することがなく、施工がスムーズに行なえる。
【図面の簡単な説明】
【図１】 本発明の曲り樋継手の一実施例を示すもので、曲り樋継手の分解説明図である。
【図２】 図１のＸ−Ｘ矢視断面図である。
【図３】 図１の上壁部３２のＹ矢視図である。
【図４】 一実施例の曲り樋継手の施工状態を示す斜視図でである。
【符号の説明】
Ｌ  曲り樋継手
１  底壁
２  後側壁
３  前側壁
３１  下壁部
３２  上壁部
３３  嵌合凹部
３４  嵌合凸部
３５  折曲片
３６  湾曲片
４  係止片
５  係止部材
６  取付片
７  軒樋
【図１】
0003763979.tif 000002
【図２】
0003763979.tif 000003
【図３】
0003763979.tif 000004
【図４】
0003763979.tif 000005